(57)【要約】【課題】眼の検査又は治療のために用いられる皮膚電極の枚数を一人当り１枚として、検査コスト乃至は治療コストを有利に低減せしめ得る眼科用皮膚電極部材であり、また、装着対象者の顔のサイズの大小にかかわらず、１枚の皮膚電極にて、眼の検査又は治療を容易に行なうことの出来る眼科用皮膚電極部材を提供する。【解決手段】眼科用皮膚電極部材１０として、容易に変形し得る電気絶縁性材料から構成される１枚の可撓性基材１２上に、左眼用電極１４と、右眼用電極１６と、第三の電極１８とを設け、それぞれ、装着対象者の左眼及び右眼の下方に、更に顔面の所定の位置に粘着せしめられるように構成して、可撓性基材１２を撓ませることによって、左眼用電極１４と右眼用電極１６との間の距離を、任意に調整することが出来るようにした。【選択図】図１
2020174857.tif 000002
【特許請求の範囲】
【請求項１】
眼の検査又は治療のために対象者の顔面に装着される眼科用皮膚電極部材にして、
装着対象者の鼻を跨いで顔の左右方向に位置せしめられる、少なくとも両眼の中心間距離以上の長さとされた長手の帯状部分を備えた、容易に変形し得る電気絶縁性材料から構成される１枚の可撓性基材と、
該可撓性基材の前記帯状部分の長手方向の一方の端部側に形成されて、左眼の下方に配置せしめられる左眼用電極と、
該可撓性基材の前記帯状部分の長手方向の他方の端部側に形成されて、右眼の下方に配置せしめられる右眼用電極と、
該可撓性基材に形成されて、装着対象者の顔面の所定の位置に配置せしめられる第三の電極と、
かかる左眼用電極、右眼用電極及び第三の電極の上にそれぞれ形成され、装着対象者の顔面の皮膚に粘着せしめられることによって、それら電極を皮膚に対して接着、保持しつつ、それら電極と皮膚との間を電気的に導通する、相互に独立して配された３つの導電性粘着剤層と、
前記可撓性基材の前記帯状部分から側方に一体的に延び出すように設けられたタブと、前記左眼用電極、右眼用電極及び第三の電極からそれぞれ独立して延びる、該可撓性基材上から該タブ上に至るように形成された３本の導電路とから構成されて、外部の機器に接続されるコネクタ部とを、
有していることを特徴とする眼科用皮膚電極部材。
【請求項２】
前記可撓性基材が、前記帯状部分からなる頭部と、該帯状部分の中間部位から装着対象者の顔面の上方に所定幅で一体的に延びる脚部とからなる逆Ｔ字状形状部を有し、かかる逆Ｔ字状形状部の脚部の端部側に、前記第三の電極が配置されて、前記導電性粘着剤層を介して、装着対象者の額に粘着せしめられ得るように構成されている請求項１に記載の眼科用皮膚電極部材。
【請求項３】
前記可撓性基材が、前記帯状部分からなる下側帯部と、該帯状部分の中間部位から装着対象者の顔面の上方に所定幅で一体的に延びる接続帯部と、該接続帯部の端部から少なくとも一方の側に所定幅で一体的に延びる上側帯部とを有し、かかる上側帯部に、前記第三の電極が配置されて、前記導電性粘着剤層を介して、装着対象者の額に粘着せしめられ得るように構成されている請求項１に記載の眼科用皮膚電極部材。
【請求項４】
前記タブが、前記可撓性基材の帯状部分の長手方向における中央部位から該帯状部分の長手方向における何れか一方の端部側に変位した形態において、一体的に形成されている請求項１乃至請求項３の何れか１項に記載の眼科用皮膚電極部材。
【請求項５】
前記第三の電極が、前記左眼用電極と前記右眼用電極との間に位置するように、前記可撓性基材に対して設けられている請求項１乃至請求項４の何れか１項に記載の眼科用皮膚電極部材。
【請求項６】
前記第三の電極が、前記左眼用電極との間に装着対象者の左眼が位置するように、且つ前記右眼用電極との間に装着対象者の右眼が位置するように、前記可撓性基材に対して設けられている請求項１乃至請求項５の何れか１項に記載の眼科用皮膚電極部材。
【請求項７】
前記左眼用電極及び前記右眼用電極が、それぞれ、装着対象者の左眼及び右眼の直下に位置せしめられ得るように構成されていると共に、前記第三の電極が、基準電位を検出する電極として、それら左眼用電極と右眼用電極との間の中央部位に位置するように設けられて、かかる第三の電極にて検出される基準電位に対して、前記左眼用電極及び右眼用電極にて、装着対象者の左眼及び右眼の網膜電位がそれぞれ測定され得るようにした網膜電位測定装置に用いられるものである請求項１乃至請求項６の何れか１項に記載の眼科用皮膚電極部材。
【請求項８】
前記第三の電極と前記左眼用電極との間に装着対象者の左眼が位置するように、且つ該第三の電極と前記右眼用電極との間に装着対象者の右眼が位置するように、かかる第三の電極が前記可撓性基材に対して配設されていると共に、該第三の電極と該左眼用電極又は該右眼用電極との間に通電することによって、かかる装着対象者の左眼又は右眼の治療を行なう電気刺激治療装置に用いられるものである請求項１乃至請求項６の何れか１項に記載の眼科用皮膚電極部材。
【発明の詳細な説明】
【技術分野】
【０００１】
本発明は、眼科用皮膚電極部材に係り、特に、眼の検査又は治療のために対象者の顔面に装着される眼科用皮膚電極部材の改良に関するものである。
【背景技術】
【０００２】
従来から、網膜電位図（ＥＲＧ）を用いて、網膜或は視覚の電気生理学的検査を行なうべく、照射光により光刺激が与えられた眼に生じる網膜電位の変動を、電極により測定するようにした網膜電位測定装置が知られており、特許第５３０８３０５号公報にも、その一例が明らかにされている。そして、そこでは、かかる網膜電位の測定のために、左右の被検眼の角膜や結膜に接触するように、それぞれ、装着せしめられる角膜電極が用いられているが、そのような角膜電極は、被検眼に対して、直接に装着せしめられるものであるところから、角膜を傷つける危険性があり、また、角膜に損傷のある患者には装着することが出来ず、更には、感染症患者に使用された場合には、その滅菌等の処置が必要となる等の問題があった。そのために、被検者の眼の角膜や粘膜に電極を接触させることなく網膜電位を測定する方法として、左右の眼の近傍の皮膚上に、所定の電極、所謂皮膚電極をそれぞれ貼り付けて、網膜電位を検出する方式が提案され、その際、基準電位を検出するための基準電極が、被検者の額等に貼り付けられて、基準電位信号が取り出され、それに基づいて、左右の眼から検出される網膜電位の検出が、より正確に行なわれ得るようになっている。
【０００３】
また、特表２０１５−５２９１１３号公報には、上記した網膜電位測定装置における皮膚電極として用いられ得る電極アレイが明らかにされており、そこでは、可撓性絶縁基板上に、複数の電極領域が独立して設けられ、更に、その電極領域上には、粘着性を有する導電性のヒドロゲルの層が形成されてなる形態とされ、そして、そのヒドロゲル層を介して、被検者の左右の眼の一方の下側に貼り付けて、装着せしめ得るようになっている。このため、そのような電極アレイは、左右の被検眼のそれぞれに対して装着して用いることが必要であるとされているところから、網膜電位の測定のためには、そのような電極アレイを少なくとも二つ準備する必要があったのである。
【０００４】
さらに、かくの如き皮膚電極は、上記した網膜電位測定装置の如き眼の検査のために、被検者（対象者）に対して装着される場合の他、眼の治療のために、患者（対象者）対しても装着されて用いられており、例えば、特開２０１７−４１４号公報等においては、網膜に電気刺激を与えるための装置、例えば、経皮膚電気刺激装置（ＴＥＳ）が明らかにされている。そこでは、右眼用の電極と、左眼用の電極と、共用の電極とからなる皮膚電極を備え、右眼用の電極と共用の電極との間に電流を流して、右眼の網膜に電気刺激を与える一方、左眼用の電極と共用の電極との間に電流を流して、左眼の網膜に電気刺激を与えて、それらの視機能の向上を図るようになっている。
【０００５】
ところで、それら網膜電位測定装置や経皮膚電気刺激装置等において用いられている従来の皮膚電極は、それぞれ、左右両眼のそれぞれの下方に独立して装着せしめられると共に、更に、装着対象者の額にも、基準電極や共用電極を別個に装着せしめる必要があり、そのために、一人の装着対象者に対して、多数の電極の使用に基づくところの検査コスト乃至は治療コストの増大を招くという問題を、内在するものであった。しかも、前述の特表２０１５−５２９１１３号公報に提案されている如き構成の皮膚電極は、既に市販もされているところであるが、そのような皮膚電極は、大人用のサイズにおいて提供されているところから、それを、顔のサイズが小さな装着対象者、特に子供や幼児に対して装着した場合において、かかる皮膚電極が耳の近傍にまで到達し、更には耳の後まで回り込んで、頭髪上に位置するようになり、網膜電位の測定に不都合を生じることがあった。そのために、顔のサイズの大きさに応じた複数の皮膚電極を予め準備する必要があったのであり、この点においても、皮膚電極のコストを大きく上昇せしめるものであった。
【先行技術文献】
【特許文献】
【０００６】
【特許文献１】特許第５３０８３０５号公報
【特許文献２】特表２０１５−５２９１１３号公報
【特許文献３】特開２０１７−４１４号公報
【発明の概要】
【発明が解決しようとする課題】
【０００７】
ここにおいて、本発明は、かかる事情を背景にして為されたものであって、その解決課題とするところは、眼の検査又は治療のために用いられる皮膚電極の枚数を一人当り１枚として、検査コスト乃至は治療コストを有利に低減せしめ得る眼科用皮膚電極部材を提供することにあり、また、他の課題とするところは、装着対象者の顔のサイズの大小にかかわらず、１枚の皮膚電極にて、眼の検査又は治療を容易に行なうことの出来る眼科用皮膚電極部材を提供することにある。
【課題を解決するための手段】
【０００８】
そして、本発明は、上記した課題乃至は明細書全体の記載や図面から把握される課題を解決するために、以下に列挙せる如き各種の態様において、好適に実施され得るものであるが、また、以下に記載の各態様は、任意の組合せにおいても、採用可能であることは言うまでもないところである。なお、本発明の態様乃至は技術的特徴は、以下に記載のものに何等限定されることなく、明細書全体の記載並びに図面に開示の発明思想に基づいて、認識され得るものであることが、理解されるべきである。
【０００９】
（１）  眼の検査又は治療のために対象者の顔面に装着される眼科用皮膚電極部材にして      、（ａ）装着対象者の鼻を跨いで顔の左右方向に位置せしめられる、少なくとも両      眼の中心間距離以上の長さとされた長手の帯状部分を備えた、容易に変形し得る電      気絶縁性材料から構成される１枚の可撓性基材と、（ｂ）該可撓性基材の前記帯状      部分の長手方向の一方の端部側に形成されて、左眼の下方に配置せしめられる左眼      用電極と、（ｃ）該可撓性基材の前記帯状部分の長手方向の他方の端部側に形成さ      れて、右眼の下方に配置せしめられる右眼用電極と、（ｄ）該可撓性基材に形成さ      れて、装着対象者の顔面の所定の位置に配置せしめられる第三の電極と、（ｅ）か      かる左眼用電極、右眼用電極及び第三の電極の上にそれぞれ形成され、装着対象者      の顔面の皮膚に粘着せしめられることによって、それら電極を皮膚に対して接着、      保持しつつ、それら電極と皮膚との間を電気的に導通する、相互に独立して配され      た３つの導電性粘着剤層と、（ｆ）前記可撓性基材の前記帯状部分から側方に一体      的に延び出すように設けられたタブと、前記左眼用電極、右眼用電極及び第三の電      極からそれぞれ独立して延びる、該可撓性基材上から該タブ上に至るように形成さ      れた３本の導電路とから構成されて、外部の機器に接続されるコネクタ部とを、有      していることを特徴とする眼科用皮膚電極部材。
（２）  前記可撓性基材が、前記帯状部分からなる頭部と、該帯状部分の中間部位から装      着対象者の顔面の上方に所定幅で一体的に延びる脚部とからなる逆Ｔ字状形状部を      有し、かかる逆Ｔ字状形状部の脚部の端部側に、前記第三の電極が配置されて、前      記導電性粘着剤層を介して、装着対象者の額に粘着せしめられ得るように構成され      ている前記態様（１）に記載の眼科用皮膚電極部材。
（３）  前記可撓性基材が、前記帯状部分からなる下側帯部と、該帯状部分の中間部位か      ら装着対象者の顔面の上方に所定幅で一体的に延びる接続帯部と、該接続帯部の端      部から少なくとも一方の側に所定幅で一体的に延びる上側帯部とを有し、かかる上      側帯部に、前記第三の電極が配置されて、前記導電性粘着剤層を介して、装着対象      者の額に粘着せしめられ得るように構成されている前記態様（１）に記載の眼科用      皮膚電極部材。
（４）前記タブが、前記可撓性基材の帯状部分の長手方向における中央部位から該帯状部      分の長手方向における何れか一方の端部側に変位した形態において、一体的に形成      されている前記態様（１）乃至前記態様（３）の何れか１つに記載の眼科用皮膚電      極部材。
（５）  前記第三の電極が、前記左眼用電極と前記右眼用電極との間に位置するように、      前記可撓性基材に対して設けられている前記態様（１）乃至前記態様（４）の何れ      か１つに記載の眼科用皮膚電極部材。
（６）  前記第三の電極が、前記左眼用電極との間に装着対象者の左眼が位置するように      、且つ前記右眼用電極との間に装着対象者の右眼が位置するように、前記可撓性基      材に対して設けられている前記態様（１）乃至前記態様（５）の何れか１つに記載      の眼科用皮膚電極部材。
（７）  前記左眼用電極及び前記右眼用電極が、それぞれ、装着対象者の左眼及び右眼の      直下に位置せしめられ得るように構成されていると共に、前記第三の電極が、基準      電位を検出する電極として、それら左眼用電極と右眼用電極との間の中央部位に位      置するように設けられて、かかる第三の電極にて検出される基準電位に対して、前      記左眼用電極及び右眼用電極にて、装着対象者の左眼及び右眼の網膜電位がそれぞ      れ測定され得るようにした網膜電位測定装置に用いられるものである前記態様（１      ）乃至前記態様（６）の何れか１つに記載の眼科用皮膚電極部材。
（８）  前記第三の電極と前記左眼用電極との間に装着対象者の左眼が位置するように、      且つ該第三の電極と前記右眼用電極との間に装着対象者の右眼が位置するように、      かかる第三の電極が前記可撓性基材に対して配設されていると共に、該第三の電極      と該左眼用電極又は該右眼用電極との間に通電することによって、かかる装着対象      者の左眼又は右眼の治療を行なう電気刺激治療装置に用いられるものである前記態      様（１）乃至前記態様（６）の何れか１つに記載の眼科用皮膚電極部材。
【発明の効果】
【００１０】
このように、本発明に従う眼科用皮膚電極部材にあっては、１枚の可撓性基材上に、左眼用電極と、右眼用電極と、第三の電極とが設けられて、それぞれ、装着対象者の左眼及び右眼の下方に、そして顔面の所定の位置に配置せしめられ得るように、構成されているところから、眼の検査又は治療に際して、シート状の皮膚電極の単なる１枚の使用のみにて用が足り、従来の如く、一人当り、２枚の皮膚電極、更には３枚の皮膚電極を用いる必要がなく、そのために、電極コスト、ひいては検査コスト乃至は治療コストが、有利に低減せしめられ得ることとなるのである。
【００１１】
しかも、そのような本発明に従う眼科用皮膚電極部材にあっては、左眼用電極及び右眼用電極の配設された可撓性基材を撓ませることによって、それら２つの電極間の距離を任意に調整することが出来ることとなるところから、１つのサイズの皮膚電極によって、大人用は勿論のこと、顔のサイズの小さな子供乃至は幼児用としても、有利に用いられ得ることとなるのであり、従来の皮膚電極の如く、子供乃至は幼児に適用した際に、それが耳の近傍、更には耳の後にまで延び、頭髪に粘着して、測定が困難となる等の問題も、有利に解消され得ることに加えて、顔のサイズに応じて複数枚の皮膚電極を予め準備しておく必要もなく、これによって、皮膚電極のコストも有利に低減され得るのである。
【図面の簡単な説明】
【００１２】
【図１】本発明に従う眼科用皮膚電極部材の一例を、顔面粘着側から見た形態で示す平面説明図である。
【図２】図１に示される眼科用皮膚電極部材の断面説明図であって、（ａ）、（ｂ）及び（ｃ）は、それぞれ、図１におけるＡ−Ａ断面、Ｂ−Ｂ断面及びＣ−Ｃ断面の説明図である。
【図３】図１に示される眼科用皮膚電極部材の分解斜視説明図である。
【図４】本発明に従う眼科用皮膚電極部材が、網膜電位測定装置における電極として用いられた場合の一例を示す説明図であって、（ａ）は、大人の被検者の顔を正面から見た状態を示す説明図であり、（ｂ）は、被検者の顔を左側方から見た状態を示す拡大説明図である。
【図５】本発明に従う眼科用皮膚電極部材を、被検者である小人の顔に適用した形態の一例を示す、図４に対応する図であって、（ａ）及び（ｂ）は、それぞれ、図４（ａ）及び（ｂ）に対応する説明図である。
【図６】本発明に従う眼科用皮膚電極部材を、経皮膚電気刺激装置における電極として用いた場合における、患者の顔に対する装着状態を示す正面説明図である。
【図７】本発明に従う眼科用皮膚電極部材の他の各種の例を示す、図１に対応する平面説明図であって、（ａ）、（ｂ）及び（ｃ）は、それぞれ、第三の電極の配設形態が異なるものの説明図である。
【図８】本発明に従う眼科用皮膚電極部材を構成する可撓性基材の他の一例を示す平面説明図である。
【発明を実施するための形態】
【００１３】
以下、本発明を更に具体的に明らかにするために、本発明の代表的な実施の形態について、図面を参照しつつ、詳細に説明することとする。
【００１４】
先ず、図１乃至図３に示される、本発明に従う眼科用皮膚電極部材の一例において、かかる皮膚電極部材１０は、図３に示される分解図から明らかな如く、可撓性基材１２と、左眼用電極１４、右眼用電極１６、第三の電極１８及びそれら電極の導電路１４ａ，１６ａ，１８ａと、絶縁体層２０と、３つの導電性粘着剤層２２，２２，２２とが順次積層されてなる、一体的な積層構造において、構成されている。また、そのような皮膚電極部材１０は、全体として逆Ｔ字形状を呈する平面形態において形成されている。
【００１５】
そこにおいて、可撓性基材１２は、容易に変形し得る電気絶縁性材料、例えば、ポリエチレン、ポリプロピレン等のポリオレフィン、ポリエチレンテレフタレート等のポリエステル、エチレン−酢酸ビニル共重合体、ポリ塩化ビニル、ポリ塩化ビニリデン、ポリビニルアルコール、アクリル樹脂、ポリウレタン樹脂、ポリアミド樹脂、ポリイミド樹脂等の樹脂からなるフィルム乃至はシートの１枚又はその複数枚の積層体、更には、それらフィルム乃至はシートと不織布や発泡体との積層体等の公知の絶縁性シート材料を用いて、構成されている。また、そのような可撓性基材１２は、所定幅で延びる長手の帯状部分１２ａを、図１における左右方向に相当することとなる長さが眼の検査又は治療のために装着される被検者や患者等の装着対象者の少なくとも両眼の中心間の距離以上の長さとなるように構成されてなる形態において、備えており、そして、その帯状部分１２ａが、後述するように、かかる装着対象者の鼻を跨いで、顔の左右方向に位置するように、配置せしめられ得るようになっている。なお、ここで、両眼の中心間の距離とは、両眼が前方を直視している状態下における両眼の中心間の距離を意味するものである。
【００１６】
また、かかる可撓性基材１２にあっては、その帯状部分１２ａからなる頭部と、その帯状部分１２ａの中間部位（ここでは中央部位）から側方に延出し、後述するように、装着対象者の顔面の上方に延びる、所定幅で一体的に形成された脚部１２ｂとにより、逆Ｔ字状形状部が形成されている一方、かかる脚部１２ｂの配設位置とは反対側の帯状部分１２ａの部位には、そこから側方に所定幅で延び出すように、所定長さのタブ１２ｃが一体的に設けられている。
【００１７】
そして、かくの如き可撓性基材１２に対して、公知の導電性材料からなる、左眼用電極１４、右眼用電極１６及び第三の電極１８が、それぞれ、所定の形状（ここでは矩形形状）において、配設されているのである。即ち、左眼用電極１４は、矩形の平面形態を呈するように、可撓性基材１２の帯状部分１２ａの長手方向の一方の端部側に配設されており、また右眼用電極１６は、矩形の平面形態を呈するように、可撓性基材１２の帯状部分１２ａの他方の端部側に形成されて、後述せるように、それら左眼用電極１４及び右眼用電極１６が、それぞれ、左眼及び右眼の下方に配置せしめられ得るようになっている。また、第三の電極１８は、矩形の平面形態を呈するように、可撓性基材１２の脚部１２ｂの自由端側に配設されている。そして、それら左眼用電極１４、右眼用電極１６及び第三の電極１８から、それぞれ、独立して延びる、公知の導電性材料からなる３本の導電路（導体路）１４ａ，１６ａ，１８ａが、可撓性基材１２（帯状部分１２ａ及び脚部１２ｂ）上からタブ１２ｃ上に至るように形成されており、更に、かかるタブ１２ｃ上において、それぞれ、接続端子１４ｂ，１６ｂ，１８ｂを形成している。かくの如く、可撓性基材１２に設けたタブ１２ｃ上に、３本の導電路１４ａ，１６ａ，１８ａをそれぞれ導き、更にそれぞれの接続端子１４ｂ，１６ｂ，１８ｂを形成せしめることによって、それら３本の導電路１４ａ，１６ａ，１８ａを、それぞれ、外部の機器に接続せしめるコネクタ部２４が、構成されているのである。
【００１８】
このように、可撓性基材１２上に形成される左眼用電極１４、右眼用電極１６、第三の電極１８及びそれらの導電路１４ａ，１６ａ，１８ａ、更には接続端子１４ｂ，１６ｂ，１８ｂは、公知の導電性材料を用いて、公知の手法によって形成され得るものであって、例えば、導電性塗料を用いた印刷手法によって容易に形成することが可能である。なお、ここで、導電性塗料としては、金、銀、プラチナ、パラジウム、ニッケル、インジウム、スズ、銅等の導電性金属や、カーボンブラック等の導電性無機材料を、ポリエステル系樹脂等のバインダ物質に含有せしめてなる塗料が、用いられることとなる。また、それら電極等の形成手法としては、通常の印刷手法の他、シルクスクリーン印刷、インクジェット印刷が採用され得、更にはスパッタリング又は印刷回路基板の製作手法等の公知の各種の手法も採用することが、可能である。
【００１９】
また、そのような可撓性基材１２上に形成された３つの電極１４，１６，１８やそれらの導電路１４ａ，１６ａ，１８ａの上には、更に、可撓性基材１２と同様な大きさと形状を有する絶縁体層２０が、積層されることとなる。この絶縁体層２０は、導電路１４ａ，１６ａ，１８ａが装着対象者の皮膚に接触して、皮膚との間で電気的な導通が行なわれないようにするものであって、そのために、可撓性基材１２と同様な樹脂材質にて構成されることとなるのであって、一般に、フィルム乃至はシート状の形態において積層せしめられることとなる。そして、そのような絶縁体層２０には、可撓性基材１２の帯状部分１２ａの両端部に対応する部位及び脚部１２ｂの自由端部に対応する部位に、それぞれ、矩形の窓部２０ａ，２０ｂ，２０ｃが、設けられている。なお、それら窓部２０ａ，２０ｂ，２０ｃは、それぞれ、各電極１４，１６，１８よりも少し小さな大きさにおいて設けられており、それら窓部２０ａ，２０ｂ，２０ｃを通じて、それぞれの電極１４，１６，１８が、皮膚に対して電気的に導通せしめられ得るようになっている。
【００２０】
さらに、かかる絶縁体層２０の上には、各窓部２０ａ，２０ｂ，２０ｃを覆蓋するように、それら窓部２０ａ，２０ｂ，２０ｃよりも少し大きな矩形形状を呈する導電性粘着剤層２２，２２，２２が、それぞれ、相互に独立して、個々に設けられている。これらの導電性粘着剤層２２，２２，２２は、絶縁体層２０の各窓部２０ａ，２０ｂ，２０ｃを介して、それぞれ、左眼用電極１４、右眼用電極１６、第三の電極１８に電気的に導通せしめられるようになっている一方、装着対象者の顔面の所定部位の皮膚に粘着させられることによって、それら電極１４，１６，１８を皮膚に対して接着、保持しつつ、それら電極１４，１６，１８が、装着対象者の皮膚に対して、電気的に導通せしめられ得るようになっている。
【００２１】
なお、かくの如き導電性粘着剤層２２，２２，２２は、それぞれ、公知の導電性粘着剤を用いて、装着対象者の皮膚に対して安定的に粘着し得る厚さにおいて形成されるものであって、例えば、特表２０１５−５２９１１３号公報に開示の如き、ヒドロゲル材料を用いることにより、また特開平５−２０７９８４号公報に明らかにされている如き、イオン導電性・親水性・感圧接着性ヒドロゲル材料を用いることにより、更には特開２０１７−１６９７９０号公報に明らかにされている如き、導電性接着剤を用いることによって、それら導電性粘着剤層２２，２２，２２を容易に形成することが可能である。また、そのような導電性粘着剤層には、特開２０１７−１６９７９０号公報等に明らかにされている如き、導電性微粒子、例えば、金、銀、銅、ニッケル、アルミニウム、チタン、錫、ニオブ、モリブデン、インジウム、バナジウム、クロム、マンガン、鉄、コバルト、亜鉛等の金属及びそれら金属の酸化物、窒化物、又は塩からなる微粒子；カーボン、グラファイト、フラーレン、カーボンナノチューブ、グラフェン等の炭素材料からなる微粒子及び、ポリチオフェン、ポリアニリン、ポリピロール、ポリアセチレン、ポリフェニレンビニレン等のπ共役分子等からなる紛体等も、好適に含有せしめられることとなる。
【００２２】
そして、本発明に従う皮膚電極部材１０は、上述の如き可撓性基材１２；左眼用電極１４、右眼用電極１６、第三の電極１８、３つの導電路１４ａ，１６ａ，１８ａ；絶縁体層２０；導電性粘着剤層２２，２２，２２を、従来と同様にして順次積層せしめて、一体化させてなる形態において構成されており、図１には、そのような皮膚電極部材１０を装着対象者側から見た形態が示されている。また、図２は、そのような皮膚電極部材１０の代表的な部位の断面を示すものであって、そこにおいて、左眼用電極１４の配設部位や第三の電極１８の配設部位における横断面は、右眼用電極１６の配設部位におけるＡ−Ａ断面と同様であり、また、導電路１４ａの配設部位や導電路１８ａの配設部位の横断面にあっても、導電路１６ａの配設部位の横断面を示すＢ−Ｂ断面と同様な積層構造であることを示している。
【００２３】
ところで、かくの如き構成の皮膚電極部材１０を用いて、例えば、網膜電位を測定するに際しては、図４や図５に示される如く、皮膚電極部材１０が、装着対象者である被検者の顔面に対して粘着されて、装着せしめられることとなるのである。即ち、図４は、被検者が大人である場合の皮膚電極部材１０の装着形態を示しており、そこにおいて、皮膚電極部材１０は、その逆Ｔ字形状の頭部が被検者の鼻を跨いで顔の左右方向に位置するように配置せしめられると共に、その左眼用電極１４及び右眼用電極１６は、それぞれ、被検者の左眼及び右眼の直下に位置するように、導電性粘着剤層２２，２２を介して、被検者の皮膚に粘着せしめられる一方、基準電位を検出する第三の電極１８が、被検者の額に、導電性粘着剤層２２を介して、粘着せしめられている。そして、そのような状態下において、かかる第三の電極１８にて基準電位が検出されると共に、従来と同様な光刺激手段により、光刺激が与えられる被検眼の側に位置せしめられた左眼用電極１４又は右眼用電極１６にて、被検者の左眼又は右眼の網膜電位が、それぞれ、検出され、更にコネクタ部２４に取り付けたコネクタ２６と、それから延びるケーブル２８とによって、基準電位と共に、被検眼の網膜電位検出信号が、図示しない網膜電位測定装置に入力せしめられて、従来と同様にして、前記光刺激が与えられた一方の被検眼の網膜電位波形が求められて、網膜電位図として記録されるのである。
【００２４】
また、かくの如き皮膚電極部材１０を、顔サイズの小さな被検者である子供乃至は幼児に適用するに際しては、皮膚電極部材１０を構成する可撓性基材１２の容易に変形し得る特性を利用して、その帯状部分１２ａや脚部１２ｂを大きく撓ませて、被検者の顔のサイズに合わせた状態において装着されることとなる。即ち、図５に示される如く、顔サイズの小さな被検者の場合にあっても、皮膚電極部材１０の左眼用電極１４と右眼用電極１６とは、それぞれ、左眼と右眼の下方、特に直下に装着せしめられる一方、第三の電極１８は、被検者の額に装着せしめる必要があるところから、皮膚電極部材１０の左眼用電極１４の配設部位と右眼用電極１６の配設部位との間の中間部位を大きく撓ませて、顔の左右方向の距離を短くした状態において、被検者の左右両眼の下方に粘着させて装着せしめる一方、第三の電極１８にあっても、それが配置された脚部部分の中間部位を大きく撓ませて、上下方向の距離を短くした状態において、被検者の額に粘着させて、装着せしめることによって、目的とする網膜電位の測定が、それぞれの被検眼に対して実施されることとなる。
【００２５】
このように、本発明に従う皮膚電極部材１０にあっては、１枚のシート状部材の形態において、それに左眼用電極１４と右眼用電極１６とが設けられて、それぞれ、装着対象者の左眼及び右眼の下方に取り付けられる一方、同様に、かかるシート状部材に設けられた第三の電極１８が装着対象者の額に取り付けられて、選択された一方の被検眼の網膜電位が測定された後、そのような皮膚電極部材１０を、そのまま、装着せしめてなる状態下において、測定電極を切り換えて、他方の被検眼に対する網膜電位の測定が可能であるところから、１つの皮膚電極部材１０によって、左右両眼の網膜電位が順次測定され得ることとなるのであり、これによって、従来の如く、複数の電極を被検者の両眼の下方や額にそれぞれ貼り付けて、網膜電位の測定を行なう場合に比して、使用電極部材の枚数を１枚とすることが出来、以て、電極部材の使用コスト、ひいては網膜電位の測定コストを、効果的に低減せしめ得ることとなったのである。
【００２６】
しかも、そのような皮膚電極部材１０においては、大人用のサイズの大きなものを、そのまま、顔サイズの小さな子供乃至は幼児に対しても、容易に適用することが可能となったことにより、網膜電位測定用の皮膚電極部材（１０）としては、大人用のものの１つを準備すれば足り、以て皮膚電極部材（１０）のサイズ数を効果的に減少せしめ得ることに加えて、子供用乃至は幼児用等の極めて小さなサイズのものを特別に準備する必要もないところから、網膜電位測定用の皮膚電極としてのコストの低減に、更に有利に寄与し得ることとなるのである。
【００２７】
ところで、本発明に従う眼科用皮膚電極部材は、上述せる網膜電位の測定の如き、眼の検査のために用いられ得る他、網膜に電気刺激を与えて視機能の向上を図る、経皮膚電気刺激装置（ＴＥＳ）の如く、眼の治療のための装置における皮膚電極としても、好適に用いられ得るものであって、その適用例が、図６に示されている。
【００２８】
すなわち、図６においては、患者である装着対象者の両眼の網膜に電気刺激を与えるべく、本発明に従う皮膚電極部材１０における第三の電極１８を共用電極として用い、それと左眼用電極１４との間に、左眼が位置するように、また、かかる第三の電極１８と右眼用電極１６との間に、右眼が位置するように、装着対象者の顔面に対して、それぞれの導電性粘着剤層（２２）を介して粘着せしめられることによって、取り付けられるようになっているのである。具体的には、皮膚電極部材１０の左眼用電極１４及び右眼用電極１６が、それぞれ、左眼及び右眼の目尻の下方に位置するように取り付けられる一方、共用の電極としての第三の電極１８が、装着対象者の額に、導電性粘着剤層（２２）を介して取り付けられることによって、装着対象者の左眼及び右眼が、第三の電極１８と左眼用電極１４及び第三の電極１８と右眼用電極１６にて、それぞれ挟まれるようにして、取り付けられるのである。
【００２９】
そして、そのような状態下において、皮膚電極部材１０のコネクタ部２４に接続されたコネクタ２６を通じて、ケーブル２８から供給される電流が、第三の電極１８と左眼用電極１４との間、及び第三の電極１８と右眼用電極１６との間に、それぞれ択一的に通電せしめられ、以て、左眼又は右眼の網膜に電気刺激を与える等の、目的とする眼の治療が行なわれることとなる。
【００３０】
従って、このような眼の治療に用いられる皮膚電極にあっても、本発明に従う皮膚電極部材１０を用いることにより、患者１人当り、従来の如く複数の皮膚電極を用いることなく、一つの皮膚電極部材にて、左眼と右眼の両方の眼の治療を行なうことが出来るところから、用いられる皮膚電極の枚数を効果的に低減せしめ、以て、皮膚電極コスト、ひいては治療コストの低減に大きく寄与し得たのであり、しかも、大人用サイズとされた皮膚電極部材１０にあっても、先の図５の場合と同様に、皮膚電極部材１０の帯状部分の中央部位や、逆Ｔ字状形状の脚部部位を大きく撓ませることによって、顔サイズの小さな患者、更には子供乃至は幼児に対しても容易に装着することが可能となるのであって、これにより、装着対象者の顔のサイズに応じて、多数の皮膚電極を準備する必要もなくなり、皮膚電極部材自体の製造コストも有利に低減せしめ得ることとなるのである。
【００３１】
以上、本発明に従う眼科用皮膚電極部材の代表的な実施形態について詳述してきたが、それは、あくまでも例示に過ぎないものであって、本発明は、そのような実施形態に係る具体的な記述によって、何等限定的に解釈されるものではないことが、理解されるべきである。
【００３２】
例えば、本発明に従う眼科用皮膚電極部材の形状としては、図１に示される如き逆Ｔ字状形状を呈する平面形態の他、図７に示される如き、各種の平面形態を呈する形状において、構成することも可能である。
【００３３】
具体的には、図７（ａ）に示される皮膚電極部材３０にあっては、そのベースとなる可撓性基材（１２）が、その帯状部分（１２ａ）からなる下側帯部と、かかる帯状部分の中間部位（ここでは、中央部位）から装着対象者の顔面の上方に所定幅で一体的に延びる接続帯部と、この接続帯部の端部から両側にそれぞれ所定幅で一体的に延びる上側帯部とを有し、この上側帯部に、それよりも細幅の細長な第三の電極１８が、設けられている。なお、かかる可撓性基材（１２）上に積層せしめられる絶縁体層（２０）も、可撓性基材（１２）と同様な形状とされていることによって、皮膚電極部材３０は、両端部に左眼用電極１４及び右眼用電極１６が配設されてなる、長手帯状の下側電極配設辺部３２と、第三の電極１８が配設されてなる上側電極配設辺部３４と、それらを接続する接続辺部３６とからなる形態において、構成されている。
【００３４】
また、図７（ｂ）に示される皮膚電極部材４０にあっては、上記した皮膚電極部材３０と同様な平面形態を呈するように、下側電極配設辺部４２と上側電極配設辺部４４とそれらを繋ぐ接続辺部４６とから構成され、下側電極配設辺部４２の両側の端部には、上記の皮膚電極部材３０と同様に、左眼用電極１４及び右眼用電極１６がそれぞれ配設されているが、第三の電極１８は、上述せる皮膚電極部材３０とは異なり、上側電極配設辺部４４の帯状の両端部に２つに分割されて、配設されていると共に、その分割された第三の電極１８，１８から、それぞれ、導電路１８ａ，１８ａが独立して設けられて、コネクタ部２４において、２つの接続端子１８ｂ，１８ｂを形成している。
【００３５】
かかる図７の（ａ）や（ｂ）に示される皮膚電極部材３０，４０は、何れも、前記した網膜電位の測定用の皮膚電極としても用いられ得るものであるが、それら皮膚電極部材３０，４０にあっては、その第三の電極１８と左眼用電極１４との間、及び第三の電極１８と右眼用電極１６との間に、装着対象者の左眼や右眼を配置せしめることが、容易に実現され得ることとなるために、前述せる如き経皮膚電気刺激装置（ＴＥＳ）用の皮膚電極として、有利に用いられ得ることとなるのである。特に、図７（ｂ）の形態において、上側電極配設辺部４４の長さを、下側電極配設辺部４２の長さと同等とすることにより、各第三の電極１８と左眼用電極１４、右眼用電極１６との間に、左眼及び右眼を上下方向で確実に挟むことが出来ることとなる。
【００３６】
さらに、図７の（ｃ）に示される皮膚電極部材５０にあっては、上述の如き実施形態とは異なり、所定幅で水平方向に延びる長尺な帯状部にて構成されており、その帯状部の両端部に、左眼用電極１４及び右眼用電極１６が、それぞれ、配設されていると共に、その帯状部の中央部に、第３の電極１８が配設されてなる構造とされている。このような皮膚電極部材５０は、一般に、前記した網膜電位測定用の皮膚電極として、好適に用いられ得るものである。
【００３７】
なお、本発明において、眼科用皮膚電極部材１０，３０，４０，５０を構成する可撓性基材１２における長手の帯状部分１２ａの長さは、一般に、大人の顔のサイズに充分に対応し得る、本発明にて規定される長さとされているのであるが、これにより、大人用サイズとされた皮膚電極部材１０，３０，４０，５０であっても、それを構成する可撓性基材１２を大きく撓ませるようにすることによって、顔サイズの小さな装着対象者、ひいては子供乃至は幼児に対する皮膚電極としても、有利に用いられ得ることとなるのである。
【００３８】
また、例示の実施形態においては、左眼用電極１４、右眼用電極１６、第三の電極１８が、各導電性粘着剤層２２，２２，２２とは別体の構造において、異なる材質からなるものとして構成されているが、それら導電性粘着剤層２２，２２，２２にて、それら３つの電極１４，１６，１８を形成して、両者を兼ねる一体の構造のものとして、設けることも出来る。
【００３９】
さらに、図７（ａ）や（ｂ）に示される変形例において、上側電極配設辺部３４，４４を、接続辺部３６，４６の一方の側にのみ、所定長さ延び出す形態において、構成することも、可能である。また、図７（ｂ）に示される皮膚電極部材４０を網膜電位図（ＥＲＧ）の測定に用いる場合にあっては、二つの第三の電極１８，１８を共用とすると共に、二つの導電路１８ａ，１８ａ及び二つの接続端子１８ｂ，１８ｂをそれぞれ一つとするようにすることも可能である。
【００４０】
更にまた、例示の具体例では、導電路１４ａ，１６ａ，１８ａの絶縁のために、絶縁体層２０が可撓性基材１２に対して積層されているが、それら導電路１４ａ，１６ａ，１８ａが個々に絶縁され得ることとなる限りにおいて、例えば導電路１４ａ，１６ａ，１８ａが可撓性基材１２の装着対象者側とは反対側の面に設けられる場合の如く、絶縁体層２０を設けることは必須ではなく、また他の公知の各種の絶縁構造を採用することも可能であり、更には眼の検査又は治療に際して、かかる導電路１４ａ，１６ａ，１８ａを絶縁する必要がない場合においては、絶縁体層２０を特別に設けなくても、何等差支えない。
【００４１】
加えて、タブ１２ｃの配設位置にあっても、例示の如く、可撓性基材１２の帯状部分１２ａの長手方向における中央部位に限られるものでは決してなく、コネクタ２６の取付けが容易となるコネクタ部２４を形成し得る帯状部分１２ａの所定の部位が、適宜に選定されることとなる。特に、図８に示される如く、帯状部分１２ａの何れか一方の端部側に変位させた状態において、タブ１２ｃを可撓性基材１２に一体的に設けるようにすれば、装着対象者の顔面に皮膚電極部材１０，３０，４０，５０を装着した際に、例示の実施形態の如く、コネクタ部２４が装着対象者の鼻の上に位置するようなことがなく、装着対象者に不安感乃至は不快感を与えたり、装着作業に注意を要する等の問題も有利に回避し得ることとなる。
【００４２】
その他、一々列挙はしないが、本発明は、当業者の知識に基づいて、種々なる変更、修正、改良等を加えた態様において実施され得るものであり、そして、そのような実施の態様が、本発明の趣旨を逸脱しない限りにおいて、何れも、本発明の範疇に属するものであることは、言うまでもないところである。
【符号の説明】
【００４３】
１０，３０，４０，５０    皮膚電極部材                                          １２    可撓性基材                  １２ａ  帯状部分
１２ｂ  脚部                        １２ｃ  タブ
１４    左眼用電極                  １４ａ，１６ａ，１８ａ  導電路
１４ｂ，１６ｂ，１８ｂ  接続端子    １６    右眼用電極
１８    第三の電極                  ２０    絶縁体層
２０ａ，２０ｂ，２０ｃ  窓部        ２２    導電性粘着剤層
２４    コネクタ部                  ２６    コネクタ
２８    ケーブル                    ３２，４２    下側電極配設辺部
３４，４４    上側電極配設辺部      ３６，４６    接続辺部
【図１】
2020174857.tif 000003
【図２】
2020174857.tif 000004
【図３】
2020174857.tif 000005
【図４】
2020174857.tif 000006
【図５】
2020174857.tif 000007
【図６】
2020174857.tif 000008
【図７】
2020174857.tif 000009
【図８】
2020174857.tif 000010